(57)【要約】【課題】  電子秤等のデータを記録してパソコン等のデータ処理装置にデータを出力する装置で防塵・防水構造とし、かつ複数のデータ通信システムに対応できる装置を得る。【解決手段】  一体的に形成された第１本体ケース２内に電子基板を収納し、かつこの第１本体ケース２に対して第２本体ケース３が嵌合して装置本体１を構成する。第２本体ケース３に対してはＲＳ２３２Ｃの端子である第１端子３ＡとＵＳＢ端子である第２端子３Ｂが形成され、異なるデータ通信規格の装置に対してもデータの入出力が可能に構成される。第２本体ケース３に対しては別途形成されたキャップ４が、当該第１本体ケース２と第２本体ケースとの嵌合部を覆うように嵌挿され、キャップ４装着時に端子形成部も完全に防塵・防水構造とする。また記録されたデータ数を見たい場合には表示部２Ａａを介してデータ数を表示する。【選択図】    図６
2011008572.tif 000002
【特許請求の範囲】
【請求項１】
データを発生させる装置とデータを処理する装置との間で用いられ、データを発生させる装置のデータを記録しかつ記録したデータをデータ処理を行う装置に出力するデータ記録装置であって、データの記録手段を内蔵するケースはこの記録手段を密閉する防塵・防水構造に形成され、かつ信号の授受を行う１以上の端子部は当該ケースの片側にまとめて形成され、この端子形成部を密閉するようキャップが装着されるように構成したことを特徴とする携帯型データ記録装置。
【請求項２】
前記ケースは、記録手段を内蔵する第１本体ケースと、側縁部に１以上の端子を有する第２本体ケースとから成り、第２本体ケースと第１本体ケースは着脱可能に嵌合していることを特徴とする請求項１記載の携帯型データ記録装置。
【請求項３】
前記キャップは、第１本体ケースと第２本体ケースとの嵌合部がケース内に位置するようにして第２本体ケースに対して気密に嵌合するよう構成したことを特徴とする請求項２記載の携帯型データ記録装置。
【請求項４】
第２本体ケースに設けられた端子は二つであり、一方は通信規格ＲＳ２３２Ｃ用の端子であり、他方はＵＳＢ端子であることを特徴とする請求項２記載の携帯型データ記録装置。
【請求項５】
装置本体には記録したデータ数を表示する表示部が形成されていることを特徴とする請求項１記載の携帯型データ記録装置。
【請求項６】
キャップ両側部にはアーム部が展出し、かつこのアーム部先端の凸部が、第１本体ケースの側縁に形成された係合凹所と係合することにより装置本体に対するキャップの係合を強固にするよう構成したことを特徴とする請求項１記載の携帯型データ記録装置。
【発明の詳細な説明】
【技術分野】
【０００１】
本発明は携帯型のデータ記録装置に係り、特に計量装置等の各種計測機器のデータを記録し、パーソナルコンピュータ（以下「パソコン」とする）等の演算装置に記録したデータを出力可能な防塵・防水機能を有する携帯型データ記録装置に関する。
【背景技術】
【０００２】
電子天秤と称される電磁平衡式秤量装置、ロードセル式秤、静電容量式秤等、計量結果がデジタルデータとして出力する装置においてはこの計量データをパソコンに取り込こみ、記録したり或いはこのデータを解析処理したり、二次加工する等、パソコンを有効に利用してデータを処理することができる。
【０００３】
パソコンに対するデータの出力方法として最も一般的な方法は、前記計量機器とパソコンをＵＳＢケーブル等の通信ケーブルで接続して、計量機器で計測したデータをパソコンに転送する方法である。この方法はリアルタイムでデータが転送できる反面、計量機器の配置部或いはその近傍にパソコンを配置する空間を確保する必要があり、かつまた計量機器の配置環境によってはパソコンの配置環境としては不向きな場合があるなど、万能な方法ではない。
【０００４】
このような点を踏まえて、特定のメモリ装置を用い、このメモリ装置に計量装置のデータを一旦記録し、メモリ装置をパソコンに接続して記録したデータをパソコンに出力する方法が用いられている。この種のメモリ装置としてはＳＤカード、ＵＳＢメモリ等が一般的である。
【０００５】
上記のメモリ装置は小型・軽量であって持ち運びが容易であるが、反面防塵、防水等の構造は施されておらず、例えばメモリ装置を持ち運び中に塵が侵入したり、或いは落として液体が侵入することにより記録したデータが破壊される可能性がある。
【０００６】
また、各メモリ装置はそれぞれ独自の端子を必要とするため、異なるメモリ装置を用いるためには計量装置及びパソコン共にメモリ装置の種類に対応する端子をそれぞれ設置しなければならない。またこれらメモリ装置はあくまでもデータを一時的に記録・保管するすることを主目的としているため、メモリ装置には記録されたデータを表示する手段は設けられていない。
【０００７】
以上の観点からそれぞれの問題点を解決すべく下記特許文献記載の発明が提案されている。
【特許文献１】実用新案登録第３１４４５７４
【特許文献２】特開２００５−３００３６４
【特許文献３】特開２００７−２４１５２４
【発明の開示】
【発明が解決しようとする課題】
【０００８】
上記特許文献１の考案はＵＳＢメモリを用いてデジタル指示計のデータをパソコン等に転送する場合、ＵＳＢメモリにケースを設けて防塵・防水を行うものものである。この考案ではメモリ装置の防塵や防水はある程度達成可能であるが、メモリ装置はあくまでも従来型のＵＳＢメモリであるため記録されたデータをメモリを介して確認することはできない。
【０００９】
特許文献２記載の発明は、特許文献１とは逆にデータの表示機能を中心としたものでありデータの運搬手段として機能は低いものである。また特許文献３記載の発明は動画等の大容量の記録媒体としてハードディスクを用い、かつこのハードディスクの耐衝撃性を高めることを主目的としており、本発明の目的としている計量データ等、動画に比較すれば小容量であるデータを記録するメモリ装置として用いるには、大型、高価でかつ携帯性に欠けるものである。
【課題を解決するための手段】
【００１０】
本発明は上記技術の問題点に鑑み構成されたものである。
即ち、本発明はメモリ素子を有する電子基板等データを記録する手段はケース（筐体）内に収納され、ケースは一体的に形成されることにより外部から塵や液体が侵入しない防塵・防水構造とし、かつケースには複数の端子が設けられ、これら複数の端子はケースの一側にまとめて配置され、ケースのうちこの端子を配置した部分にはキャップが取り付けられるよう構成され、キャップはケースの端子配置部を密閉するよう構成した防塵・防水機能を有する携帯型データ記録装置であることを特徴とする。
【発明の効果】
【００１１】
キャップが取り付けられ持ち運び状態のケースは密閉構造として構成されているため、データを発生させる装置やデータを処理する装置に接続されている状態以外ではケース内に塵や液体が侵入するのを防止でき、携帯型のデータ記録装置として幅広い環境での使用が可能である。
【００１２】
記録装置には形式の異なるデータ入出力用の端子が複数配置されるため、複数のデータ通信手段に対応することができ、相互に異なる通信機能を有する計量装置等のデータ出力側の装置と、このデータを処理するパソコンの間でもデータの搬送が可能である。
【００１３】
端子は情報を授受するための接続部が露出するため、塵や液体の侵入に対して最も弱い部分であるが、この端子形成部をケースの一側（片側）に集中配置し、かつこの端子形成部をケースと密着するキャップによって密閉することにより、端子形成部も高い防塵・防水構造とすることができる。
【００１４】
更に、装置本体には表示部を形成し、入力したデータ数をパソコンに出力前に確認することが可能となる。
【実施例１】
【００１５】
以下本発明の実施例を図面を参考に具体的に説明する。
まず主として図１および図２において、携帯型データ記録装置は図１に示される装置本体１と、この装置本体１に対して着脱可能に装着されるキャップ４（図２参照）とから成っている。
【００１６】
装置本体１は内部に記憶素子や後述する表示部の駆動等を行う電子基板等が収納されている第１本体ケース２と、この第１本体ケース２に対して嵌合密着する第２本体ケース３とから成っている。
【００１７】
図３はこれら第１本体ケース２及び第２本体ケース３の構造を示し、第１本体ケース２及び第２本体ケース３共にそれぞれ気密性を有する単一部材として一体的に構成されている（図４も併せて参照）。また図示の構成では第１本体ケース２から展出した係合爪２ａが第２本体ケース３の係合用開口３ａに係止することにより両者２、３が密着して嵌合接続し、かつ内部確認等の必要に応じてドライバー等の工具を必要とせずに両者の嵌合状態を解除することも可能に構成されている。
【００１８】
上記の係合（嵌合）構造で大半の異物は第１本体ケース２と第２本体ケース３の係合部からの侵入が阻止されることが確認されているが、より高い防塵・防水構造とする必要がある場合には第１本体ケース２と第２本体ケース３の接合部にパッキッグを介在させる等の手段を施すことも当然可能である。
【００１９】
次に本体ケースの構造についてより具体的に説明する。
先ず第１本体ケース２において、本体ケース２の上面には操作・表示面２Ａが形成され、この操作・表示面２Ａには表示部２Ａａに加えて、表示指示ボタン２Ａｂ、セットボタン２Ａｃ、クリアボタン２Ａｄ等の各種操作ボタンが配置されている。
【００２０】
一方第２本体ケース３の先端側縁部においては第１端子部３Ａと第２端子部３Ｂが形成されている。図示の構成では第１端子部３ＡはＲＳ２３２Ｃ用の端子として構成され、第２端子部３Ｂは、ＵＳＢ端子３Ｂａと、このＵＳＢ端子３Ｂａを保持しかつ第２本体ケース３と一体的に成形されている端子ホルダ部３Ｂｂとから構成されている。
【００２１】
続いて上記装置本体１に装着するキャップの構造について説明する。
主として図２及び図５において、キャップ４はアクリル樹脂等による透明体として構成されているが、透明であることは本願発明の必須の要素ではない。
【００２２】
キャップ４は前記第２本体ケース３を覆う本体部４Ａと、この本体部４Ａから第１本体ケース２の側壁部に沿って展出する一対のアーム部４Ｂａ、４Ｂａとから成っている。またキャップ本体部４Ａの内部空間４Ｃは第２本体ケース３の収納空間となっている。
【００２３】
図６及び図７は上述の携帯型データ記録装置の持ち運び時の構成を示す。
持ち運び時にはキャップ４は装置本体１に対して嵌挿され第２本体ケース３を覆うように取り付けられる。符号５は第２本体ケース３に近接する位置で第１本体ケース２に設けられたゴム等の弾性体から成るＯリング状のパッキングであって、キャップ４を装置本体１に嵌挿することにより当該キャップ４と装置本体１とを密閉し、これにより第２本体ケース３の部分はこのキャップ４により防塵・防水され、装置本体１の全体が防塵・防水機能を有する。
【００２４】
上記キャップ４の装着に当たって、キャップ４のアーム部４Ｂａ、４Ｂｂの先端部に突設された係合凸部４Ｂａ´、４Ｂｂ´（図２参照）は第１本体ケース２の側壁に凹設された凹所２Ｂａ、２Ｂｂ（図１参照）と係合し、装置本体１に対するキャップ４の装着状態を保持するようにしている。このため、例えば誤って装置本体を落下させてもキャップ４が外れる可能性は低く、装置全体としての防塵・防水機能が保持される。
【００２５】
なお、キャップ４を図示の如く装着することにより第１本体ケース２と第２本体ケース３との嵌合部はキャップ４とパッキング５とのシール部の内部に位置する状態となるため、装置全体が防塵・防水構造となる。またデータの授受のためキャップ４を外したときは第１端子部３Ａ、第２端子部３Ｂも露出するので、予め第１本体ケース２と第２本体ケース３との嵌合部を完全防塵・防水構造とする必然性は余り高いものではなく、ある程度の防塵・防水性があれば両者の着脱容易性を考慮した図示のような嵌合構造の方が実用性が高いと言える。
【００２６】
図８及び図９はデータの入出力時の状態を示す。
この場合、前記キャップ４は本体１から取り外してもよいが、図示の如く第１本体ケース２の後端に嵌挿すれば、第１本体ケース２の全長が手の中に馴染む長さとなるため操作性が良好となる。この場合、前記アーム部４ｂａ、４Ｂｂの係合凸部２Ｂａ´、２Ｂｂ´は第１本体ケース２の凹所２Ｃａ、２Ｃｂと係合するため、前記の場合と同様キャップ４を確実に装置本体１に装着することができる。
【００２７】
例えば電子秤から計量データをＲＳ２３２Ｃで出力する場合には第１端子部３Ａと電子秤のＲＳ２３２Ｃの端子とをケーブル接続し、当該電子秤から計測データを装置本体１の記録手段に入力する。計測データの入力が完了したならば図６、図７に示すように装置１の第２本体ケース３を覆うようにしてキャップ４を装着して持ち運ぶ。
【００２８】
記録したデータをパソコンに出力する場合には、今度はＵＳＢメモリの端子３ＢａをパソコンのＵＳＢ端子に接続し、記録しているデータをパソコンに出力する。因に電子秤をはじめとする各計測装おいてはデータ出力用として、シリアル通信を行うＲＳ２３２Ｃのポートを有しているものが多いが、一方パソコンの側はノート型パソコンにおいて特に顕著であるが装置の小型化により、ＵＳＢ端子しか持たない装置が増えてきている。このような場合、本願発明に係る装置であればポートが異なってもデータの転送を容易に実施することができる。
【産業上の利用可能性】
【００２９】
以上、本発明の装置を計測データ等の比較的小容量のデータを記録する装置を例に説明したが、大型化して携帯性はやや欠けるが動画等の大容量のデータを記録する装置としても実施可能である。また、接続する端子の種類もＲＳ２３２Ｃ用端子、ＵＳＢ用端子に限定する必要はないし、また端子数（種類）も２個に限定する必要もない。
【図面の簡単な説明】
【００３０】
【図１】本発明に係る携帯型データ記録装置本体の平面図である。
【図２】図１に示す装置本体に装着するキャップの平面図である。
【図３】図１のＡ−Ａ線による断面図である。
【図４】図１のＢ−Ｂ線による断面図である。
【図５】図２のＣ−Ｃ線による断面図である。
【図６】キャップを第２本体ケースに装着した状態の携帯型データ記録装置本体の平面図である。
【図７】図６に示す携帯型データ記録装置本体の側面図である。
【図８】データ入出力時のキャップの装着状態を示し、（Ａ）は装置本体正面図、（Ｂ）は装置本体の平面図である。
【図９】データ入出力時のキャップの装着状態を示す装置本体側面図である。
【符号の説明】
【００３１】
１  装置本体
２  第１本体ケース
２Ａ（第１本体ケースの）操作・表示面
２Ａａ  表示部
２Ａｂ、２Ａｃ、２Ａｄ  操作ボタン
２ａ  係合凸部
２Ｂａ、２Ｂｂ、２Ｃａ、２Ｃｂ（第１本体ケースの）係合凹所
３  第２本体ケース
３Ａ  第１端子部
３Ｂ  第２端子部
３Ｂａ  ＵＳＢ端子
３Ｂｂ  ＵＳＢ端子ホルダ
４  キャップ
４Ｂａ、４Ｂｂ（キャップの）アーム部
４Ｂａ´、４Ｂｂ´（アーム部の）係合凸部
５  パッキング
【図１】
2011008572.tif 000003
【図２】
2011008572.tif 000004
【図３】
2011008572.tif 000005
【図４】
2011008572.tif 000006
【図５】
2011008572.tif 000007
【図６】
2011008572.tif 000008
【図７】
2011008572.tif 000009
【図８】
2011008572.tif 000010
【図９】
2011008572.tif 000011